(57)【要約】      （修正有）【課題】吸込用配管部を容易に変形可能に構成し吸込用配管部の変形状態を確実に保持し得るようにし、集塵用吸込口の移動と位置、角度の調整を作業者に負担を与えることなく円滑に行えるようにする集塵用吸込具を提供する。【解決手段】集塵用吸込具は、一端に集塵用吸込口を有する変形可能な吸込用配管部５７と、吸込用配管部内に変形可能に内装され、吸込用配管部の変形状態を保持する可撓性棒体５９と、を具備する。吸込用配管部は、集塵機に対して直接又は接続部を介して間接的に取り付けられる基端側配管５１と、基端側配管に対して着脱可能に連結される蛇腹ホース５３と、から構成され、可撓性棒体は、基端を基端側配管に着脱可能に固定され、基端から先端にかけての部位が蛇腹ホース内に延長されている。【選択図】図５
0003208544.tif 000002
【実用新案登録請求の範囲】
【請求項１】
一端に集塵用吸込口を有する変形可能な吸込用配管部と、
上記吸込用配管部内に変形可能に内装され上記吸込用配管部の変形状態を保持する可撓性棒体と、を見備したことを特徴とする集塵用吸込具。
【請求項２】
請求項１記載の集塵用吸込具において、
上記吸込用配管部は、集塵機に対して直接又は接続部を介して間接的に取り付けられる基端側配管と、上記基端側配管に対して着脱可能に連結される蛇腹ホースと、から構成されていて、
上記可撓性棒体は、その基端を上記基端側配管に着脱可能に固定され、その基端から先端にかけての部位が上記蛇腹ホース内に延長されているものであることを特徴とする集塵用吸込具。
【請求項３】
請求項２記載の集塵用吸込具において、
上記基端側配管は鉛直上方に向かって立設されているものであることを特徴とする集塵用吸込具。
【請求項４】
請求項１〜請求項３の何れかに記載の集塵用吸込具において、
上記可撓性棒体は１本であることを特徴とする集塵用吸込具。
【請求項５】
請求項１〜請求項４の何れかに記載の集塵用吸込具において、
上記可撓性棒体は金属製棒体であることを特徴とする集塵用吸込具。
【請求項６】
請求項５記載の集塵用吸込具において、
上記金属性棒体は、なましの番線であることを特徴とする集塵用吸込具。
【請求項７】
請求項６記載の集塵用吸込具において、
上記なましの番線の外径は、４ｍｍ〜７ｍｍであることを特徴とする集塵用吸込具。
【請求項８】
吸込側開口を備えるハウジングと、
上記ハウジング内に収容され、ハウジング内に取り込まれたヒューム中に含まれる有害なガス成分や微粒子を捕捉するフィルタと、
上記ハウジング内に収容され、上記吸込側開口に吸引風を生起させる吸引ファンと、
上記ハウジングに対して設けられ、上記フィルタによって浄化された空気をハウジング外に排気する排気口と、を備え、
上記吸込側開口には、請求項１〜請求項７の何れかに記載の集塵用吸込具が取り付けられることを特徴とする集塵機。
【請求項９】
請求項８記載の集塵機において
上記ハウジングには、集塵機の移動を容易にすると共に移動後の集塵機の位置を固定するストッパ付きのキャスタが設けられていることを特徴とする集塵機。
【考案の詳細な説明】
【技術分野】
【０００１】
本考案は、集塵用吸込具と集塵機に係り、特に吸込用配管部を容易に変形可能に構成して該吸込用配管部の変形状態を保持し得るようにした集塵用吸込具と該集塵用吸込具を備えた集塵機に関する。
【背景技術】
【０００２】
溶接等を行っている作業現場では、作業によって発生する火花や光と共に「ヒューム」と呼ばれている有害なガスや微粒子の混合物が発生し、該ヒュームを吸い込むと作業者の健康を害する虞がある。従って、上記溶接作業は通気の良い屋外で行うか、屋内で行う場合には上記のヒュームの飛散を防止するために下記の特許文献１に示すような集塵機が使用されている。
この集塵機は、溶接作業を行う室内の天井から吊り下げられる吸引ダクトと送風機と吸込みフードとを備えた据付け型の集塵機で、上記ヒューム中に含まれる有害なガス成分や微粒子を濾過・分離して除去し、浄化された空気を大気中に放出する機能を有している。
【０００３】
又、上記集塵機の吸込みフードに上記ヒュームを導くための吸引用ホースが設けられており、該吸引用ホースは下記の特許文献１、２に図示されているように、溶接作業中に作業者が顔面を覆うために使用されている柄の付いた遮光面に取り付けられている。
又、上記集塵機の吸込みフードを、溶接作業を行っている所望の位置に移動させるために変形可能な蛇腹ホース等の先端に上記吸込みフードを取り付けるという試みも行われている。この場合には、上記蛇腹ホースの周面に線径の太い針金等を螺旋状に巻き付けて蛇膜ホースの形状を保持することが行われている。又、旋回可能で且つ折れ曲がり可能なアーム状のフレームによって上記蛇腹ホースを保持することで上記吸込みフードの移動と位置・角度の調整とが行われていた。
【先行技術文献】
【特許文献】
【０００４】
【特許文献１】特開２００１−８７３０５号公報
【特許文献２】特開平１１−２９０３７５号公報
【考案の概要】
【考案が解決しようとする課題】
【０００５】
しかし、上記特許文献１、２に開示されている遮光面に対して吸引用ホースを取り付けて使用する形態では作業者は煩わしいし、吸引用ホースから放出されたヒュームは再び飛散して室内を漂うことになる。したがって、当該飛散したヒュームの一部が上記吸込みフードに到達して浄化されるに過ぎず、作業者が滞っているヒュームを吸い込む虞がある。
又、上記蛇腹ホースに針金等を巻き付ける構成とアーム状のフレームによって蛇腹ホースを保持する構成も、作業者が溶接作業を行う場所を変える度に煩雑な吸込みフードの位置や角度の調整を行わなければならず、作業者の作業性の円滑な改善には必ずしも至っていない。
【０００６】
本考案はこのような点に基づいてなされたものでその目的とするところは、蛇腹ホース等によって構成される吸込用配管部を容易に変形可能に構成して該吸込用配管部の変形状態を確実に保持し得るようにし、集塵用吸込口の移動と位置、角度の調整を作業者に負担を与えることなく円滑に行えるようにすることができる集塵用吸込具と集塵機を提供することにある。
【課題を解決するための手段】
【０００７】
上記目的を達成するべく本願考案の請求項１による集塵用吸込具は、一端に集塵用吸込口を有する変形可能な吸込用配管部と、上記吸込用配管部内に変形可能に内装され上記吸込用配管部の変形状態を保持する可撓性棒体と、を見備したことを特徴とするものである。
又、請求項２による集塵用吸込具は、請求項１記載の集塵用吸込具において、上記吸込用配管部は、集塵機に対して直接又は接続部を介して間接的に取り付けられる基端側配管と、上記基端側配管に対して着脱可能に連結される蛇腹ホースと、から構成されていて、上記可撓性棒体は、その基端を上記基端側配管に着脱可能に固定され、その基端から先端にかけての部位が上記蛇腹ホース内に延長されているものであることを特徴とするものである。
又、請求項３による集塵用吸込具は、請求項２記載の集塵用吸込具において、上記基端側配管は鉛直上方に向かって立設されているものであることを特徴とするものである。
又、請求項４による集塵用吸込具は、請求項１〜請求項３の何れかに記載の集塵用吸込具において、上記可撓性棒体は１本であることを特徴とするものである。
又、請求項５による集塵用吸込具は、請求項１〜請求項４の何れかに記載の集塵用吸込具において、上記可撓性棒体は金属製棒体であることを特徴とするものである。
又、請求項６による集塵用吸込具は、請求項５記載の集塵用吸込具において、上記金属性棒体は、なましの番線であることを特徴とするものである。
又、請求項７による集塵用吸込具は、請求項６記載の集塵用吸込具において、上記なましの番線の外径は、４ｍｍ〜７ｍｍであることを特徴とするものである。
又、請求項８による集塵用吸込具は、吸込側開口を備えるハウジングと、上記ハウジング内に収容され、ハウジング内に取り込まれたヒューム中に含まれる有害なガス成分や微粒子を捕捉するフィルタと、上記ハウジング内に収容され、上記吸込側開口に吸引風を生起させる吸引ファンと、上記ハウジングに対して設けられ、上記フィルタによって浄化された空気をハウジング外に排気する排気口とを備え、上記吸込側開口には、請求項１〜請求項７の何れかに記載の集塵用吸込具が取り付けられることを特徴とするものである。
又、請求項９による集塵用吸込具は、請求項８記載の集塵機において、上記ハウジングには、集塵機の移動を容易にすると共に移動後の集塵機の位置を固定するストッパ付きのキャスタが設けられていることを特徴とするものである。
【考案の効果】
【０００８】
したがって、本考案による集塵用吸込具によれば、一端に集塵用吸込口を有する変形可能な吸込用配管部が備えられているから、作業者は上記吸込用配管部を所望の形状に変形させて、集塵用吸込口を所望の場所に移動させて所望の位置と角度に調整することが可能になる。
又、上記吸込用配管部の内部には可撓性棒体が内装されているから、可撓性棒体を適宜変形させることにより上記吸込用配管部の変形状態を確実に保持することができる。そして、本考案では上記吸込用配管部と可撓性棒体の変形を、集塵用吸込口を所望の場所に移動させて所望の位置と角度に調整することによって容易に実行できるから、作業性が大幅に向上する。
又、吸込用配管部を基端側配管と蛇腹ホースとから構成し、上記基端側配管に可撓性棒体の基端を着脱可能に固定し、その基端から先端にかけての部位を上記蛇腹ホース内に延長形成させるように構成した場合には、基端側配管によって蛇腹ホースの基端と可撓性棒体の基端とが確実に保持され、これらの基端を基点として、蛇腹ホースと可撓性棒体を三次元的に自由に変形させることが可能になる。又、上記蛇腹ホースは、内装された可撓性棒体によって内部から支持されることによって、その変形状態がそのまま保持される。
又、上記基端側配管を鉛直上方に向かって立設させた場合には、蛇腹ホースの基端を保持する保持点を上方に設定でき、水平方向に蒿張らないから、吸込用配管部が作業者の邪魔にならないコンパクトな形態の集塵用吸込具を提供できるようになる。又、基端側配管内に流入するヒュームを含んだ空気の流れが円滑になる。
又、上記吸込用配管部内に内装される可撓性棒体の数を１本にした場合には、三次元方向のあらゆる方向に同じ力で変形させることができる可撓性棒体を提供できるようになり、部品コストと組立コストの削除が図られる。
又、上記可撓性棒体を金属製棒体によって構成した場合には、金属製棒体の有する剛性によって上記吸込用配管部の変形状態の保持が確実になる。更に、上記金属製棒体をなましの番線によって構成した場合には、可撓性棒体の可撓性が向上し上記可撓性棒体の変形が容易になる。
又、上記なましの番線の外径を４ｍｍ〜７ｍｍに設定した場合には、吸込用配管部の自由な変形を可能にし、その変形状態を確実に保持し得る最適な剛性と柔軟性を備えた可撓性棒体を提供できるようになる。
又、本考案による集塵機によれば、吸込側開口を所望の場所に容易に移動して所望の位置と角度に調整することができる吸引、集塵、浄化機能を備える集塵機が提供できるようになって作業性が向上する。
又、上記集塵機のハウジングに対してストッパ付きのキャスタを設けた場合には、当該集塵機の移動が容易になって作業性の一層の向上が期待できる。
【図面の簡単な説明】
【０００９】
【図１】本考案の一実施の形態を示す図で、集塵用吸込具を備えた集塵機を示す斜視図である。
【図２】本考案の一実施の形態を示す図で、集塵用吸込具を備えた集塵機を示す分解斜視図である。
【図３】本考案の一実施の形態を示す図で、集塵用吸込具を備えた集塵機を示す正面図である。
【図４】本考案の一実施の形態を示す図で、集塵用吸込具を備えた集塵機を示す側面図である。
【図５】本考案の一実施の形態を示す図で、集塵用吸込具を備えた集塵機を示す図４中のＶ−Ｖ断面図である。
【図６】本考案の一実施の形態を示す図で、集塵用吸込具を備えた集塵機を示す図３中のＶＩ−ＶＩ断面図である。
【図７】本考案の一実施の形態を示す図で、集塵用吸込具を備えた集塵機を示す図３中のＶＩＩ−ＶＩＩ断面図である。
【図８】本考案の一実施の形態を示す図で、集塵用吸込具を備えた集塵機を示す図３中のＶＩＩＩ−ＶＩＩＩ断面図である。
【図９】本考案の一実施の形態を示す図で、集塵用吸込具を備えた集塵機を示す図３中のＩＸ−ＩＸ断面図である。
【図１０】本考案の一実施の形態を示す図で、集塵用吸込具を備えた集塵機の使用状態を示す正面図である。
【図１１】本考案の他の実施の形態を示す図で、集塵用吸込具の取付状態を示す側面図である。
【考案を実施するための形態】
【００１０】
以下、図１乃至図１０に示す一実施の形態を例にとって本考案の集塵用吸込具と該集塵用吸込具を備えた本考案の集塵機の構成とその作用について具体的に説明する。  
尚、以下の説明では最初に図１乃至図１０に示す集塵機を例にとって本考案の集塵機の全体構成を説明する。次に、上記集塵機に備えられている本考案の集塵用吸込具の具体的構成とその作用について説明し、その後、当該集塵用吸込具を備えた集塵機全体の作動態様について説明する。更に、図１１に基づいて本考案の集塵用吸込具の他の実施の形態について言及する。
【００１１】
（１）集塵機の全体構成（図１乃至図１０参照）
本考案の集塵機１は、吸込側開口３を備えるハウジング５と、該ハウジング５内に収容され、ハウジング５内に取り込まれたヒュームＨに含まれる有害なガス成分や微粒子Ｇを捕捉するフィルタ７と、上記ハウジング５内に収容され、上記吸込側開口に吸引風Ｃを生起させる吸引ファン９と、上記ハウジング５に対して設けられ、上記フィルタ７によって浄化された空気Ａをハウジング５外に排気する排気口１１と、を備えている。
そして、本考案の集塵機１の特徴的構成として上記吸込側開口３には、後述する本考案の集塵用吸込具１３が取り付けられている。
【００１２】
ハウジング５は上面が閉塞された円筒容器状の上部ハウジング５Ａと下面が閉塞された円筒容器状の下部ハウジング５Ｂの二つのハウジングを組み合わせることによって構成されている。又、上部ハウジング５Ａは外筒７５と内筒７７の二つのハウジングによって構成されていて両者の間には空間７９が形成されている。又、上部ハウジング５Ａの上面には、矩形平板状の板材の対向する一組の縁部１５Ａ、１５Ｂを上方に折り曲げることによって一例として形成されるハンドル支持ブラケット１７が設けられており、該ハンドル支持ブラケット１７の上記縁部１５Ａ、１５Ｂの両端には一例として丸棒状のハンドルバー１９、１９が水平に架け渡されている。
【００１３】
又、上記外筒７５と内筒７７のそれぞれの周胴部には、一例として円形の穴部が複数形成されており、外筒７５に形成されている穴部が上述した排気口１１として機能し、内筒７７に形成されている穴部が上記排気口１１に空気Ａを導く連絡口１２として機能するように構成されている。
又、内筒７７の内部には支持ブラケット２１を介して一例として二基のファンモータ２３、２３と、これらのファンモータ２３、２３によって個別に駆動される二基の吸引ファン９、９が設けられており、これらの下方には支持ブラケット２５を介して円筒状をした第２フィルタ７Ｂが吊持状態で取り付けられている。
【００１４】
一方、下部ハウジング５Ｂの下面には、一例として図１、２に示すような形状をしたトレイ状の支持板部２７が設けられており、この支持板部２７の対向する一組の縁部２９Ａ、２９Ｂを上方に折り曲げ、該縁部２９Ａ、２９Ｂに設けた図示しない穴部を貫通するように車軸３１が水平に架け渡されていて、該車軸３１の両端にストッパを有しない固定キャスタ３３、３３が自由に回転できる状態で設けられている。
又、上記固定キャスタ３３、３３が設けられている位置と対向する位置の下部ハウジング５Ｂの周胴部にも支持ブラケット３５が設けられており、該支持ブラケット３５にはストッパ付きのキャスタ３７が取り付けられている。
【００１５】
又、上記支持ブラケット３５の上部における下部ハウジング５Ｂの周胴部には、後述する本考案の集塵用吸込具１３によって吸い込まれたヒュームＨを下部ハウジング５Ｂ内に取り込む吸込側開口３が設けられており、該吸込側開口３を取り囲むようにエルボ状に屈曲した連絡ダクト４１が同じく下部ハウジング５Ｂの周胴部に対して設けられている。
尚、上記連絡ダクト４１は後述する本考案の集塵用吸込具１３の基端側配管５１の基端部５１ａを支持する支持部材としても機能するように構成されている。
【００１６】
更に、下部ハウジング５Ｂの内部には、上記吸込側開口３が形成されている部位を取り囲むようにフィルタ取付部４３が設けられており、該フィルタ取付部４３には、上述した第２フィルタ７Ｂで捕捉する有害なガス成分や微粒子Ｇよりも粒径の大きな異物Ｅ等を捕捉するための第１フィルタ７Ａが着脱可能な状態で取り付けられている。
この他、上部ハウジング５Ａと下部ハウジング５Ｂの組み合わせ部には、凸部４５ａと凹部４５ｂによって一例として構成される位置合わせ部４５と、一例としてターンバックル式の止め具４７と係止片４９が複数個所に設けられている。
【００１７】
（２）集塵用吸込具の具体的構成（図１乃至図１０参照）
本考案の集塵用吸込具１３は、一端５７ａに集塵用吸込口５５を有する変形可能な吸込用配管部５７と該吸込用配管部５７内に変形可能に内装され、上記吸込用配管部５７の変形状態を保持する可撓性棒体５９と、を見備することによって基本的に構成されている。
このうち、上記吸込用配管部５７は、上述した集塵機１に対して直接又は後述する他の実施の形態で述べるように接続部６１を介して集塵機１に対して間接的に取り付けられる基端側配管５１と該基端側配管５１に対して着脱可能に連結される蛇腹ホース５３とから構成されている。
【００１８】
又、基端側配管５１は、鉛直上方に向かって立設される直管状の部材によって構成されており、その基端部５１ａは上述したように連絡ダクト４１の上面に取り付けられている。又、基端側配管５１の先端部（図示の実施の形態では上端部）５１ｂには、基端側配管５１の他の部位よりも小径に形成されている取付段部６３が設けられている。
尚、この取付段部６３は次に述べる蛇腹ホース５３の基端部５３ａを取り付けるための段部であり、該取付段部６３に蛇腹ホース５３の基端部５３ａを取り付けた後、一例としてリング状のホースバンド６５によって外側から締め付けられて固定される。
【００１９】
又、上記基端側配管５１の先端部５１ｂの内部には後述する可撓性棒体５９の基端５９ａを支持して基端側配管５１に固定するための支持金具６７が取り付けられている。
蛇腹ホース５３は一例として上記基端側配管５１とほぼ同径の蛇腹状のホースによって構成されており、三次元的にその形状を自由に変形させて、上記一端５７ａに形成されている集塵用吸込口５５の位置と角度を所望の位置と角度に設定し得るように構成されている。又、本実施の形態では上記蛇腹ホース５３の一端５７ａに設けられる集塵用吸込口５５を覆うように一例として円錐形状の吸込フード５６が設けられている。
【００２０】
可撓性棒体５９は、本実施の形態では１本のみ設けられており、一例としてなましの番線によって構成される金属製棒体によって構成されている。
尚、上記なましの番線の外径Ｄは、一例として４ｍｍ〜７ｍｍ、好ましくは５ｍｍ〜６ｍｍであり、このような外径Ｄのなましの番線を使用することにより可撓性棒体５９の自由な変形と変形後の形状の保持とが良好に行われるようになる。
【００２１】
（３）集塵用吸込具の作用
このようにして構成される本実施の形態による集塵用吸込具１３によれば、蛇腹ホース５３の採用によって吸込用配管部５７を容易に変形させることができるから集塵用吸込口５５の移動と位置、角度の調整とを作業者に負担を与えることなく円滑に実行できるようになる。
又、可撓性棒体５９の採用によって上記蛇腹ホース５３に自立性を付与することが可能になり、変形後の蛇腹ホース５３の姿勢を確実に保持することができるようになる。
【００２２】
（４）集塵機全体の作動態様
例えば、図１０に示すように溶接を行っている作業現場６９で、本実施の形態による集塵機１を使用する場合には、ストッパ付きのキャスタ３７のストッパを解除して当該集塵機１を移動できるようにし、ハンドルバー１９を握って、溶接を行う所望の場所に集塵機１を移動させる。又、集塵機１を目的の場所に移動させたらストッパ付きのキャスタ３７のストッパを再び制止位置にして集塵機１が不用意に移動しないようにする。
【００２３】
次に、吸込フード５６を持って集塵用吸込口５５を、溶接を行う所望の場所に移動させ、更に集塵用吸込口５５が所望の位置と角度になるように調整する。
更に、上部ハウジング５Ａから延びている電源コード７１先端の電源プラグ７２を作業現場６９にある図示しない電源コンセントに挿し込んだ後、図示しない電源スイッチをＯＮにして上記二つのファンモータ２３を起動して二つの吸引ファン９、９を作動させる。
【００２４】
この状態で溶接を開始すると、溶接によって発生した有害なガス成分や微粒子Ｇを含んだヒュームＨは、吸引風Ｃに載って吸込フード５６、集塵用吸込口５５、吸込用配管部５７、連絡ダクト４１、吸込側開口３を通って下部ハウジング５Ｂ内に至る。
下部ハウジング５Ｂ内に供給されたヒュームＨは、最初に第１フィルタ７Ａによって粒径の大きな異物Ｅ等が取り除かれ、上方に移動して円筒形状の第２フィルタ７Ｂによって有害なガス成分や微粒子Ｇが捕捉され、これらの微粒子Ｇ等が取り除かれて浄化せれた空気Ａが、上部ハウジング５Ａの内筒７７の周胴部に形成されている連絡口１２と外筒７５の周胴部に形成されている排気口１１を通って外部に排気される。
【００２５】
又、作業終了後は、電源スイッチをＯＦＦにしてファンモータ２３を停止させ、集塵機１内部のメンテナンスを行う場合は、止め具４７の係止片４９に対する係止状態を解除した後、二本のハンドルバー１９、１９を持って上部ハウジング５Ａを下部ハウジング５Ｂから取り外して、ハウジング５Ａ、５Ｂ内部の清掃やフィルタ７Ａ、７Ｂのクリーニングや交換を行う。
又、メンテナンスの終了後は、フィルタ７Ａ、７Ｂを再びセットし、ハンドルバー１９、１９を持って上部ハウジング５Ａを持ち上げ、凸部４５ａと凹部４５ｂの位置を合わせて下部ハウジング５Ｂの上に設置し、止め具４７を再び係止片４９に係止する。
【００２６】
本考案は、上述した実施の形態に限定されるものではない。
例えば、作業現場６９の外部に図示しない集塵機１や更に大規模な集塵設備が配置されており、ダクト７３等を介して作業現場６９内に存する接続部６１と、作業現場６９外に存する上記集塵機１等と、が接続されている場合には、上述した本考案の集塵用吸込具１３を集塵機１等に対して直接、取り付けるのではなく、接続部６１を介して間接的に集塵機１等に接続することが可能である。
【００２７】
又、基端側配管５１は鉛直上方に向かって立設される外、斜め上方に向かって立設されるものや水平方向に延設されるものであってもよいし、長手方向に伸縮する構造を有していてもよい。又、可撓性棒体５９は１本のみ設ける他、外径Ｄの細い番線を２本束ねて使用する等、複数本設けても構わない。
この他、上部ハウジング５Ａと下部ハウジング５Ｂの連結は、そのすべてを止め具４７と係止片４９によって行う外、一部にヒンジを設けて上部ハウジング５Ａを回動可能に下部ハウジング５Ｂに連結し、その回動自由端を１個又は複数個の止め具４７と係止片４９によって連結するようにしても構わない。
【産業上の利用可能性】
【００２８】
本願考案は、例えば溶接等を行っている作業現場等において発生する有害なガスや微粒子の混合物を捕捉してクリーンな空気に浄化するのに使用される集塵用吸込具と該集塵用吸込具を備えた集塵機に係り、特に吸込用配管部の変形を容易にし、その変形状態を確実に保持し得るように工夫したものに関する。
【符号の説明】
【００２９】
１  集塵機
３  吸込側開口
５  ハウジング
５Ａ  上部ハウジング
５Ｂ  下部ハウジング
７  フィルタ
７Ａ  第１フィルタ
７Ｂ  第２フィルタ
９  吸引ファン
１１  排気口
１２  連絡口
１３  集塵用吸込具
１５  縁部
１７  ハンドル支持ブラケット
１９  ハンドルバー
２１  支持ブラケット
２３  ファンモータ
２５  支持ブラケット
２７  支持板部
２９  縁部
３１  車軸
３３  固定キャスタ
３５  支持ブラケット
３７  ストッパ付きのキャスタ
４１  連絡ダクト
４３  フィルタ取付部
４５  位置合わせ部
４５ａ  凸部
４５ｂ  凹部
４７  止め具
４９  係止片
５１  基端側配管
５１ａ  基端部
５１ｂ  先端部
５３  蛇腹ホース
５３ａ  基端部
５５  集塵用吸込口
５６  吸込フード
５７  吸込用配管部
５７ａ  一端
５９  可撓性棒体
５９ａ  基端
５９ｂ  先端
６１  接続部
６３  取付段部
６５  ホースバンド
６７  支持金具
６９  作業現場
７１  電源コード
７２  電源プラグ
７３  ダクト
７５  外筒
７７  内筒
７９  空間
Ａ  空気
Ｃ  吸引風
Ｄ  外径
Ｅ  異物
Ｈ  ヒューム
Ｇ  有害なガス成分や微粒子
【図１】
0003208544.tif 000003
【図２】
0003208544.tif 000004
【図３】
0003208544.tif 000005
【図４】
0003208544.tif 000006
【図５】
0003208544.tif 000007
【図６】
0003208544.tif 000008
【図７】
0003208544.tif 000009
【図８】
0003208544.tif 000010
【図９】
0003208544.tif 000011
【図１０】
0003208544.tif 000012
【図１１】
0003208544.tif 000013